(57)【要約】      （修正有）【課題】両袖に着用人が両腕を挿入しただけで着用できる後開き防護服を提供する。【解決手段】着用者７が対面して両腕を挿入しやすい位置に後開き防護服１を取り付けた鋏ハンガー２を壁などに固定してあるフック３等に設置する。後開き防護服の袖に着用者が両腕を挿入し、着用者が動く等での引っ張る動作で、鋏ハンガーに取り付けた後開き防護服が鋏ハンガーから外れ、着用者に移動し着用できる。一個の鋏ハンガーに５枚の後開き防護服を上から引っ張ると一枚ずつ外れるように取り付けし、着用者が両腕を挿入しやすい位置に後開き防護服を５枚重ね合わせて鋏ハンガーに取り付け設置すれば、後開き防護服の一番上から着用者が両腕を挿入し、鋏ハンガーから引っ張る動作をしただけで一枚目の後開き防護服を着用でき、次に同じことを繰り返せば素早く５枚の後開き防護服を着用できる。【選択図】図１
0003235329.tif 000002
【実用新案登録請求の範囲】
【請求項１】
両腕を挿入しやすい形状に置いた後開き防護服を５枚位同じ位置で重ね合わせ、重ね合わせた後開き防護服の肩の辺りを、一枚ずつ外しとれるように５着ぐらいが挟める、一個の鋏ハンガーに取り付けした後開き防護服。
【請求項２】
後開き防護服の両肩のあたりの表側から摘まめる位置に、力を加えると切れやすいテープ等を両肩の表側に取り付けて、テープを取り付けた後開き防護服を５着位同じ位置に重ね合わせ、肩の位置に重なっている表側にとりつけたテープ等の先端を圧着し、圧着したテープの先端を一個の平ハンガーに取り付けした後開き防護服。
【考案の詳細な説明】
【技術分野】
【０００１】  本考案は、後開き防護服を、短時間に着用しやすいようにした事に関するものである。
【背景技術】
【０００２】  いままで、後開き防護服を着用するには、後開き防護服がポロシャツのようにＡ４ぐらいの大きさに畳んであるので、二つか三つ折りに畳んである防護服を背丈の長さに拡げ、袖の部分を拡げ、防護服の肩の辺りを持ち上げ、着用者の胸のあたりに後開き防護服をあわせて、袖に右手を通し次に左手をとうし、防護服を体に付けていた。
後開き防護服を脱ぎ捨て、新しい後開き防護服を着用しようとするには、同じことを繰り返して体につけるので、着用するたびに手間と時間を必要としていた。
【考案の概要】
【考案が解決しようとする課題】
【０００３】    後開き防護服の両袖に着用人が両腕を挿入しただけで、後開き防護服を着用できるようにすることを課題とした。
【課題を解決するための手段】
【００４】  今回の考案は後開き防護服を図１のように、着用者が手を挿入する後ろ側を前面になるようにするとともに、少しの力が加わると後開き防護服が外れる鋏ハンガー等に後開き防護服を取り付けて、着用者がハンガー等に取り付けた後開き防護服に対面して両腕を挿入しやすい位置に、後開き防護服を壁などに固定してあるフック等にぶら下げるように設置した。
着用者は後開き防護服の両袖に両腕を挿入し、後開き防護服が鋏ハンガー等に取り付けられている状態のままで後ろへ下がると、固定された鋏ハンガー等から後開き防護服だけが外れ、着用者に後開き防護服が移動し、着用者は両腕を挿入しただけで後開き防護服を着用できる。【００５】又  図２のように１０個の洗濯はさみ等が付いた一個の鋏ハンガー等に、後開き防護服を５枚重ね合わせ上から順番に外れるように取り付けて、人間が対面し腕を挿入しやすい位置につけたフック等に、５枚重ね合わせた後開き防護服を取り付けた鋏ハンガー等を固定し、一番上にある後開き防護服に両腕を挿入し、一枚目から順番にハンガー等から後開き防護服が外れるようにすると、Ａ着用者が両腕を挿入して一枚目の後開き防護服を鋏ハンガー等から外しとり着用したあと、次にＢ着用者がすぐに二枚目の後開き防護服に両腕を挿入し着用でき、５枚重ね合わせて鋏ハンガー等に後開き防護服を取り付ければ、上から順番に後開き防護服に両腕を挿入しただけで、５枚の後開き防護服を簡単に着用出来るようになる。【００６】  又  後開き防護服の両肩のあたりに、後開き防護服をぶら下げただけでは切れないが、手で引っ張ると切れやすくしたテープ等を取り付けて、図３のように両肩のところに切れやすいテープを付けた後開き防護服を５枚重ね合わせて、同じところに重なった切れやすいテープの先端を、一個のハンガー等にテープの先端５枚分を取れないように取り付け、人間が対面し腕を挿入しやすい位置に防護服を５枚取り付けたハンガー等をぶら下げて固定すれば、一個のハンガーに取り付けた５枚の後開き防護服の一番上の後開き防護服に両腕を挿入し、少しだけ体をずらし後開き防護服を引っ張ると、テープ等がちぎれてハンガー等から後開き防護服が着用者に移動し後開き防護服を着用できる、次に同じことを繰り返すことで上から順番に５枚の後開き防護服を楽に着用することが出来る。
切れやすいテープは、テープ自体が切れやすいものでも、テープの一部に切れ込み等を入れて置き、引っ張ると切れ目が裂けるようにしたものでも、効果は得られる。【００７】重ね合わせてハンガー等に取り付ける後開き防護服は何枚でもよいが、防護服の厚さや重さで異なり、標準的なラミネート加工した防護服だと５枚位重ね合わせて取り付けし着用するのが実用的である。
【考案の効果】
【００８】  着用者が着用しやすいように両腕を挿入しやすい位置に後開き防護服を設置してあるので、手に手袋などを装着したままでも、後開き防護服に両腕を挿入し、少しだけ体をずらし後開き防護服を引っ張り、後開き防護服をハンガー等からはずしただけで、第三者の手助けがなくても後開き防護服を一人で着用できる。【００９】  一枚一枚畳んである後開き防護服を開いて着用せずに、初めから着用者の着用しやすい位置に後開き防護服があるために、後開き防護服を開くスペースがいらず、又後開き防護服を開封するときに出る粉塵も少なくなる。【０１０】    一枚一枚畳んである後開き防護服を開いて着用せずに、初めから着用者の着用しやすい位置に後開き防護服があるために、後開き防護服を短時間に素早く着用することができる。
【図面の簡単な説明】
【図１】本考案の実施例１
【０１０】  図１の本考案の実施例１について、図面を引用して説明する。
実施例１は、従来からある後開き防護服（１）を着用者（７）が手を挿入する後ろ側を前面になるようにして鋏ハンガー（２）に取り付けてフック（３）に固定したものである。
フック（３）は鋏ハンガー（２）に取り付けた後開き防護服（１）をフック（３）にかけたとき、着用者（７）が対面し両腕を挿入しやすい位置に設置してある。【０１１】  図２の本考案の実施例２は、洗濯はさみ（４）をハンガー（２）の左右に５個ずつ取り付けて５枚の後開き防護服（１）を一枚ずつ洗濯はさみ（４）に取り付け、一個のハンガー（２）にとりつけたものである。【０１２】図３の本考案の実施例３は、後開き防護服（１）を吊り下げられるように、後開き防護服（１）の肩の辺りの外側に、引っ張ると切れやすいテープ（５）を取り付けて、５枚重ね合わせた後開き防護服（１）の切れやすいテープ（５）の先端部分のみを５枚重ね合わせ、取れないように平ハンガー（６）に圧着し取り付けたものである。
【符号の説明】１  後開き防護服
２  鋏ハンガー
３  フック
４  洗濯はさみ
５  切れやすいテープ
６  平ハンガー
７  着用者
【図１】
0003235329.tif 000003
【図２】
0003235329.tif 000004
【図３】
0003235329.tif 000005
【手続補正書】
【提出日】令和3年10月13日(2021.10.13)
【手続補正１】
【補正対象書類名】明細書
【補正対象項目名】全文
【補正方法】変更
【補正の内容】
【考案の詳細な説明】
【技術分野】
【０００１】  本考案は、後開き防護服を、短時間に着用しやすいようにした事に関するものである。
【背景技術】
【０００２】  いままで、後開き防護服を着用するには、後開き防護服がポロシャツのようにＡ４ぐらいの大きさに畳んであるので、二つか三つ折りに畳んである防護服を背丈の長さに拡げ、袖の部分を拡げ、防護服の肩の辺りを持ち上げ、着用者の胸のあたりに後開き防護服をあわせて、袖に右手を通し次に左手をとうし、防護服を体に付けていた。
後開き防護服を脱ぎ捨て、新しい後開き防護服を着用しようとするには、同じことを繰り返して体につけるので、着用するたびに手間と時間を必要としていた。
【考案の概要】
【考案が解決しようとする課題】
【０００３】  後開き防護服の両袖に着用人が両腕を挿入しただけで、後開き防護服を着用できるようにすることを課題とした。
【課題を解決するための手段】
【０００４】  今回の考案は後開き防護服を図１のように、着用者が手を挿入する後ろ側を前面になるようにするとともに、少しの力が加わると後開き防護服が外れる鋏ハンガー等に後開き防護服を取り付けて、着用者がハンガー等に取り付けた後開き防護服に対面して両腕を挿入しやすい位置に、後開き防護服を壁などに固定してあるフック等にぶら下げるように設置した。
着用者は後開き防護服の両袖に両腕を挿入し、後開き防護服が鋏ハンガー等に取り付けられている状態のままで後ろへ下がると、固定された鋏ハンガー等から後開き防護服だけが外れ、着用者に後開き防護服が移動し、着用者は両腕を挿入しただけで後開き防護服を着用できる。【０００５】又  図２のように１０個の洗濯はさみ等が付いた一個の鋏ハンガー等に、後開き防護服を５枚重ね合わせ上から順番に外れるように取り付けて、人間が対面し腕を挿入しやすい位置につけたフック等に、５枚重ね合わせた後開き防護服を取り付けた鋏ハンガー等を固定し、一番上にある後開き防護服に両腕を挿入し、一枚目から順番にハンガー等から後開き防護服が外れるようにすると、Ａ着用者が両腕を挿入して一枚目の後開き防護服を鋏ハンガー等から外しとり着用したあと、次にＢ着用者がすぐに二枚目の後開き防護服に両腕を挿入し着用でき、５枚重ね合わせて鋏ハンガー等に後開き防護服を取り付ければ、上から順番に後開き防護服に両腕を挿入しただけで、５枚の後開き防護服を簡単に着用出来るようになる。【０００６】  又  後開き防護服の両肩のあたりに、後開き防護服をぶら下げただけでは切れないが、手で引っ張ると切れやすくしたテープ等を取り付けて、図３のように両肩のところに切れやすいテープを付けた後開き防護服を５枚重ね合わせて、同じところに重なった切れやすいテープの先端を、一個のハンガー等にテープの先端５枚分を取れないように取り付け、人間が対面し腕を挿入しやすい位置に防護服を５枚取り付けたハンガー等をぶら下げて固定すれば、一個のハンガーに取り付けた５枚の後開き防護服の一番上の後開き防護服に両腕を挿入し、少しだけ体をずらし後開き防護服を引っ張ると、テープ等がちぎれてハンガー等から後開き防護服が着用者に移動し後開き防護服を着用できる、次に同じことを繰り返すことで上から順番に５枚の後開き防護服を楽に着用することが出来る。
切れやすいテープは、テープ自体が切れやすいものでも、テープの一部に切れ込み等を入れて置き、引っ張ると切れ目が裂けるようにしたものでも、効果は得られる。【０００７】重ね合わせてハンガー等に取り付ける後開き防護服は何枚でもよいが、防護服の厚さや重さで異なり、標準的なラミネート加工した防護服だと５枚位重ね合わせて取り付けし着用するのが実用的である。
【考案の効果】
【０００８】  着用者が着用しやすいように両腕を挿入しやすい位置に後開き防護服を設置してあるので、手に手袋などを装着したままでも、後開き防護服に両腕を挿入し、少しだけ体をずらし後開き防護服を引っ張り、後開き防護服をハンガー等からはずしただけで、第三者の手助けがなくても後開き防護服を一人で着用できる。【０００９】  一枚一枚畳んである後開き防護服を開いて着用せずに、初めから着用者の着用しやすい位置に後開き防護服があるために、後開き防護服を開くスペースがいらず、又後開き防護服を開封するときに出る粉塵も少なくなる。【００１０】    一枚一枚畳んである後開き防護服を開いて着用せずに、初めから着用者の着用しやすい位置に後開き防護服があるために、後開き防護服を短時間に素早く着用することができる。
【図面の簡単な説明】
【００１１】
【図１】  図１の本考案の実施例１は、従来からある後開き防護服（１）を着用者（７）が手を挿入する後ろ側を前面になるようにして鋏ハンガー（２）に取り付けてフック（３）に固定したものである。フック（３）は鋏ハンガー（２）に取り付けた後開き防護服（１）をフック（３）にかけたとき、着用者（７）が対面し両腕を挿入しやすい位置に設置してある。
【図２】  図２の本考案の実施例２は、洗濯はさみ（４）をハンガー（２）の左右に５個ずつ取り付けて５枚の後開き防護服（１）を一枚ずつ洗濯はさみ（４）に取り付け、一個のハンガー（２）にとりつけたものである。
【図３】  図３の本考案の実施例３は、後開き防護服（１）を吊り下げられるように、後開き防護服（１）の肩の辺りの外側に、引っ張ると切れやすいテープ（５）を取り付けて、５枚重ね合わせた後開き防護服（１）の切れやすいテープ（５）の先端部分のみを５枚重ね合わせ、取れないように平ハンガー（６）に圧着し取り付けたものである。
【符号の説明】
【００１２】１  後開き防護服
２  鋏ハンガー
３  フック
４  洗濯はさみ
５  切れやすいテープ
６  平ハンガー
７  着用者